(57)【特許請求の範囲】
【請求項１】
上部冷蔵温度帯室と下部冷蔵温度帯室とを仕切る仕切部材と、
前記仕切部材に形成され、前記上部冷蔵温度帯室から前記下部冷蔵温度帯室に冷気を吐出させる吐出口と、
前記下部冷蔵温度帯室に収納される収納容器と、
前記収納容器の上部開口に蓋をする蓋体と、
前記収納容器の後方に設けられ、前記下部冷蔵温度帯室に吐出された前記冷気を排出する排出口と、を備える冷蔵庫において、
前記蓋体と前記仕切部材との間に発泡ウレタンを用いて柱状に設けた冷気案内部を備え、
前記冷気案内部は、
前記吐出口より後側、かつ、冷蔵庫本体の前後方向の中央より後側において左右方向に延び且つ前記蓋体と前記仕切部材との間を閉じるように位置し、
前記蓋体を前記仕切部材に取り付ける前の前記冷気案内部の前記蓋体からの高さ寸法をＨ１とし、前記蓋体を前記仕切部材に取り付けたときの前記蓋体から前記仕切部材の下面までの高さ寸法をＨ２とした場合、前記高さ寸法Ｈ１が前記高さ寸法Ｈ２よりも長く形成されていることを特徴とする冷蔵庫。
【請求項２】
前記蓋体の左右両側には、前後方向に延在する他の冷気案内部が設けられていることを特徴とする請求項１に記載の冷蔵庫。
【請求項３】
前記収納容器は、前記収納容器内の青果物から発生するガスを分解して二酸化炭素を発生する白金触媒を備えることを特徴とする請求項１または請求項２に記載の冷蔵庫。
【発明の詳細な説明】
【技術分野】
【０００１】
本発明は、冷蔵庫に関する。
【背景技術】
【０００２】
特許文献１には、冷蔵室と野菜室とを仕切る仕切板に冷蔵室から野菜室に冷気を吐出させる吐出口が形成され、吐出口からの冷気が野菜容器の手前側を通って流れる冷蔵庫が形成されている。
【先行技術文献】
【特許文献】
【０００３】
【特許文献１】特許２００２−３５７３８５号公報
【発明の概要】
【発明が解決しようとする課題】
【０００４】
しかしながら、特許文献１に記載の冷蔵庫では、冷蔵室から野菜室に冷気を流入させる吐出口が、野菜容器の後方に位置しているため、野菜室の背面に設けられた冷気を冷却器に戻す戻し口に流れ易くなる。このため、吐出口から出た冷気が直ちに野菜容器の背面を通ることで、野菜容器が冷やされて野菜容器内の壁面に露付きが発生するという問題があった。
【０００５】
本発明は、前記従来の問題を解決するものであり、収納容器に発生する露付きを抑制することが可能な冷蔵庫を提供することを目的とする。
【課題を解決するための手段】
【０００６】
本発明は、上部冷蔵温度帯室と下部冷蔵温度帯室とを仕切る仕切部材と、前記仕切部材に形成され、前記上部冷蔵温度帯室から前記下部冷蔵温度帯室に冷気を吐出させる吐出口と、前記下部冷蔵温度帯室に収納される収納容器と、前記収納容器の上部開口に蓋をする蓋体と、前記収納容器の後方に設けられ、前記下部冷蔵温度帯室に吐出された前記冷気を排出する排出口と、を備える冷蔵庫において、前記蓋体と前記仕切部材との間に発泡ウレタンを用いて柱状に設けた冷気案内部を備え、前記冷気案内部は、前記吐出口より後側、かつ、冷蔵庫本体の前後方向の中央より後側において左右方向に延び且つ前記蓋体と前記仕切部材との間を閉じるように位置し、前記蓋体を前記仕切部材に取り付ける前の前記冷気案内部の前記蓋体からの高さ寸法をＨ１とし、前記蓋体を前記仕切部材に取り付けたときの前記蓋体から前記仕切部材の下面までの高さ寸法をＨ２とした場合、前記高さ寸法Ｈ１が前記高さ寸法Ｈ２よりも長く形成されていることを特徴とする。
【発明の効果】
【０００９】
本発明によれば、収納容器に発生する露付きを抑制することが可能な冷蔵庫を提供することができる。
【図面の簡単な説明】
【００１０】
【図１】第１実施形態における冷蔵庫の正面図である。
【図２】図１の冷蔵庫の縦断面図である。
【図３】収納容器と蓋体の分解斜視図である。
【図４】図３のＡ−Ａ線断面図である。
【図５】（ａ）は上段容器を示す正面図、（ｂ）は（ａ）のＢ−Ｂ線断面図である。
【図６】第２実施形態における冷蔵庫の一部を示す縦断面図である。
【図７】第３実施形態における冷蔵庫の一部を示す縦断面図である。
【発明を実施するための形態】
【００１１】
以下、本発明の実施形態に係る冷蔵庫について、図面を参照しながら詳細に説明する。また、以下では、三つの空間に区切られる３ドアタイプの冷蔵庫を例に挙げて説明するが、二つの空間に区切られるタイプの冷蔵庫に適用してもよく、四つ以上の空間に仕切られるタイプの冷蔵庫に適用してもよい。
【００１２】
（第１実施形態）
図１は、第１実施形態における冷蔵庫の正面図である。
図１に示すように、冷蔵庫１００Ａは、冷蔵庫本体１と、その前面に設けられた複数の扉５，６，７を備えて構成されている。扉５は、上段に位置し、回動式のものである。扉６は、中段に位置し、引き出し式のものである。扉７は、下段に位置し、引き出し式のものである。
【００１３】
図２は、図１の冷蔵庫の縦断面図である。なお、図２は、概略的に図示している。
図２に示すように、冷蔵庫本体１は、例えば、鋼板製の外箱８と、樹脂製の内箱９と、外箱８と内箱９の間に充填された発泡断熱材１０とから構成されており、上から順に上部冷蔵温度帯室である冷蔵室２、下部冷蔵温度帯室である野菜室３、冷凍温度帯室である冷凍室４が、それぞれ区画して構成されている。なお、断熱性能の向上を要する場合は、発泡断熱材１０と共に真空断熱材（図示せず）を併設する。
【００１４】
例えば、冷蔵室２および野菜室３の設定温度は、０℃〜５．０℃の温度帯に設定され、冷凍室４は−１８℃〜−２０℃の温度帯に設定されている。このため、野菜室３と冷凍室４との間は断熱仕切り壁１１によって断熱区画されている。また、冷蔵室２と野菜室３との間は、設定温度帯が近いため、断熱材を含まない仕切り壁１２により区画されている。また、仕切り壁１２には、冷蔵室２から野菜室３に冷気を吐出させる吐出口１２ａが形成されている。
【００１５】
冷蔵庫本体１の前面には、前記したように、冷蔵室２、野菜室３、冷凍室４の前面開口を閉塞するため、それぞれ、扉５，６，７が前面開口縁部に対してパッキング（不図示）を介して設けられている。扉５は、冷蔵室２の前面開口を閉塞し、扉６は、野菜室３の開口を閉塞し、扉７は冷凍室４の前面開口を閉塞する。
【００１６】
また、引き出し式の扉６は、野菜室３内に設けられた収納容器４０を伴って引き出す構造となっている。また、引き出し式の扉７も、冷凍室４内に設けられた収納容器５０を伴って引き出す構造となっている。
【００１７】
また、冷蔵庫本体１は、冷凍サイクルを搭載している。この冷凍サイクルは、圧縮機１３、凝縮器（図示せず）、キャピラリチューブ（図示せず）、冷却器１４、および、こられを順に接続する環状の冷媒配管（図示せず）によって構成されている。また、冷却器１４は、野菜室３の背面に設けられた冷却器室１５内に設置されている。この冷却器室１５における冷却器１４の上方には、送風ファン１６が設置されている。また、冷蔵室２の背面には、冷蔵室背面パネル１８が設けられている。冷蔵室背面パネル１８には、送風ファン１６から供給された冷気を通す冷気通路１７が設けられている。また、冷蔵室背面パネル１８には、冷気通路１７を通した冷気を冷蔵室２内に吹き出す冷気吹出し孔１８ａが上下方向に間隔を空けて複数箇所に形成されている。
【００１８】
冷蔵庫１００Ａでは、冷却器１４によって冷却され、且つ、冷気量制御ダンパー（図示せず）を介した冷気は、冷気通路１７、冷気吹出し孔１８ａから冷蔵室２に供給され、冷蔵室２の貯蔵空間を設定温度帯に冷却する。そして、冷蔵室２内の冷気は、吐出口１２ａを通って野菜室３に供給され、野菜室３の貯蔵空間を設定温度帯に冷却する。このように、野菜室３を冷却する冷気は冷蔵室２を通過した後の冷気となる。そして、野菜室３内の冷気は、野菜室３の背面（収納容器４０の後方）に設けられた冷気の戻り口（排出口）３ａを介して、冷却器室１５に戻るようになっている。なお、冷凍室４は、図示しない冷却流路を通って冷気が循環するように構成されている。
【００１９】
また、冷蔵室２内には透明な樹脂板またはガラス板で構成される複数段の棚１９，２０，２１，２２が設置されている。また、最下段の棚２２の下側には、引き出し式の収納トレイ２３が設けられている。なお、収納トレイ２３に替えて、食品の鮮度保持および長期保存するための密閉空間を構成する減圧貯蔵室を有する引き出し式の収納トレイを備えていてもよい。
【００２０】
仕切り壁１２に形成された吐出口１２ａは、後記する後部冷気案内部４５ａよりも前側に位置している。なお、吐出口１２ａの位置が前過ぎると、使用者が吐出口１２ａを視認して、外観意匠性が低下する。また、冷蔵室２内の食品残渣や液体が吐出口１２ａから野菜室３側に流れ落ちて、衛生性が低下するおそれがある。更には、冷蔵室２内を冷却した冷気が、収納トレイ２３の底面を冷却することなく、野菜室３側に吹き出されてしまう。
【００２１】
図３は、収納容器と蓋体の分解斜視図である。
図３に示すように、野菜室３に収納される収納容器４０は、下段容器４１および上段容器４２によって構成されている。また、収納容器４０の上部開口は、蓋板（蓋体）４３Ａによって略密閉状態に覆われる。野菜室３（図２参照）では、下段容器４１および上段容器４２が前後方向に引出自在に収納されている。蓋板４３Ａは、下段容器４１および上段容器４２の上部開口を覆うものであり、冷蔵庫本体１の仕切り壁１２に固定されている。よって、下段容器４１および上段容器４２が引き出されたとしても、蓋板４３Ａの位置は変化しない。
【００２２】
下段容器４１は、上面が開放した略四角箱形状を呈し、前板４１ａ、側板４１ｂ，４１ｂ、背板４１ｃおよび底板４１ｄによって樹脂成形されている。背板４１ｃは、前板４１ａと側板４１ｂ，４１ｂよりも底板４１ｄからの高さが低く形成されている。また、下段容器４１は、前板４１ａの上部全体と、側板４１ｂ，４１ｂの上前部とが、側板４１ｂの上後部よりも底板４１ｄからの高さが一段高く形成されている。
【００２３】
上段容器４２は、上面が開放した略四角箱形状かつ扁平形状を呈し、前板４２ａ、側板４２ｂ，４２ｂ、背板４２ｃおよび底面４２ｄによって樹脂成形されている。また、上段容器４２の左右の側板４２ｂの外面には、前後方向に延在するフランジ４２ｂ１（右側のみ図示）が形成されている。このフランジ４２ｂ１が下段容器４１の側板４１ｂの上縁部に支持されるとともに、上段容器４２が前後方向にスライド自在に構成されている。なお、野菜室３（図２参照）を構成する左右の側壁（側面）には、下段容器４１を引き出したときにフランジ４２ｂ１を支持するためのスライドレール（図示せず）が設けられている。
【００２４】
また、上段容器４２の前板４２ａには、白金触媒６０（図５（ｂ）参照）が内蔵されたハンドル４６が取り付けられている。このハンドル４６の詳細については後記する。
【００２５】
蓋板４３Ａは、合成樹脂製のものであり、上方からの平面視において略矩形状に形成されている。また、蓋板４３Ａには、矩形状の開口部４３ａが形成されている。この開口部４３ａには、格子部４３ｂが一体に形成されている。また、開口部４３ａは、左右方向において右寄りに形成されている。このように蓋板４３Ａを設けることにより、収納容器４０内の貯蔵物（青果物など）に冷気が直接当たるのを防止することができ、貯蔵物の乾燥を防ぐことができる。
【００２６】
また、開口部４３ａには蒸散ボード４４（水分吸蔵放出部材）が取り付けられている。この蒸散ボード４４は、ＰＥＴ繊維などの樹脂繊維が編み込まれて形成された平板状の部材であり、空気は通すが液体の水分は吸収して保持する機能を有している。また、蒸散ボード４４は、吸湿（保持）された水分を空気に対して蒸散（放出）可能になっている。
【００２７】
また、蒸散ボード４４は、開口部４３ａに形成された格子部４３ｂによって蒸散ボード４４の下面が接することで支持されている。また、蒸散ボード４４は、開口部４３ａの周縁部に設けられた爪部４３ｃ，４３ｃ，４３ｄ，４３ｄによって蒸散ボード４４の縁部が保持されている。このような構成にすることで、蒸散ボード４４が蓋板４３Ａに安定的に保持される。また、爪部４３ｃ，４３ｄと格子部４３ｂとで蒸散ボード４４を保持することで、蒸散ボード４４を着脱することが可能になり蒸散ボード４４の交換が可能になる。
【００２８】
なお、本実施形態では、蒸散ボード４４を格子部４３ｂと爪部４３ｃ，４３ｄで保持する構成としたが、このような構成に限定されるものではなく、蒸散ボード４４を蓋板４３Ａにインサート成型によって構成してもよい。
【００２９】
また、蓋板４３Ａの上面には、蓋板４３Ａを仕切り壁１２に取り付けるためのフック４３ｅ，４３ｅ，４３ｆが上方に向けて突設されている。フック４３ｅ，４３ｅは、蓋板４３Ａの手前側で左右両側に位置している。また、フック４３ｅは、蒸散ボード４４の前方に位置している。フック４３ｆは、蒸散ボード４４の後方かつ蓋板４３Ａの左右方向の中央に位置している。このような位置にフック４３ｅ，４３ｆを配置することにより、必要最小限の数で蓋板４３Ａを安定して仕切り壁１２に固定することができる。なお、図示省略するが、仕切り壁１２（図２参照）には、フック４３ｅ，４３ｅ，４３ｆを引っ掛けるための引掛部（爪や孔など）が形成されている。
【００３０】
また、蓋板４３Ａの上面には、開口部４３ａの周囲に冷気案内部としての後部冷気案内部４５ａと、他の冷気案内部としての側部冷気案内部４５ｂ，４５ｂとが設けられている。この後部冷気案内部４５ａおよび側部冷気案内部４５ｂは、発泡ウレタンによって形成された弾力性を有するものであり、四角柱状に形成されている。また、後部冷気案内部４５ａは、開口部４３ａの後縁に沿って配置され、側部冷気案内部４５ｂは、開口部４３ａの左側縁と右側縁に沿ってそれぞれ配置される。
【００３１】
後部冷気案内部４５ａは、吐出口１２ａ（図２参照）よりも後側に位置している。なお、本実施形態では、後部冷気案内部４５ａの長手方向（左右方向）の途中に、フック４３ｆが位置している関係で、後部冷気案内部４５ａが左右に２分割されているが、フック４３ｆの位置を後方に変えて、後部冷気案内部４５ａを一体に構成するようにしてもよい。
【００３２】
側部冷気案内部４５ｂは、後端が後部冷気案内部４５ａの左端部（右端部）に接するように位置するとともに、開口部４３ａの左側縁（右側縁）からさらに前方に延びている。このように後部冷気案内部４５ａによって、蒸散ボード４４の後方が閉じられ、側部冷気案内部４５ｂ，４５ｂによって左右側方が閉じられることで、前方が開放した上方平面視においてコ字状を呈するように構成されている。
【００３３】
図４は、図３のＡ−Ａ線断面図である。なお、図４は、蓋板４３Ａが仕切り壁１２（仮想線で示す）に取り付けられた状態を示している。
図４に示すように、蓋板４３Ａが仕切り壁１２に取り付けられると、後部冷気案内部４５ａと側部冷気案内部４５ｂが仕切り壁１２の下面１２ｂに密着するようになっている。つまり、蓋板４３Ａを仕切り壁１２に取り付ける前の後部冷気案内部４５ａおよび側部冷気案内部４５ｂの蓋板４３Ａからの高さ寸法Ｈ１（図３参照）は、蓋板４３Ａを仕切り壁１２に取り付けたときの蓋板４３Ａから仕切り壁１２の下面１２ｂまで高さ寸法Ｈ２（図４参照）よりも高く（長く）形成されている。これにより、蓋板４３Ａを仕切り壁１２に取り付ける際、後部冷気案内部４５ａ（発泡ウレタン）および側部冷気案内部４５ｂ（発泡ウレタン）が弾性変形しながら仕切り壁１２の下面１２ｂに押し当てられることで、後部冷気案内部４５ａと側部冷気案内部４５ｂを仕切り壁１２に密着させることができる。これにより、冷気が後部冷気案内部４５ａと側部冷気案内部４５ｂの外側に流れるのを防止して、冷気を蓋板４３Ａの手前側に確実に案内することができる。
【００３４】
また、後部冷気案内部４５ａは吐出口１２ａより後側に位置し、かつ、後部冷気案内部４５ａより前側に蒸散ボード４４が配置されている。これにより、吐出口１２ａから野菜室３に吐出された冷気は、後部冷気案内部４５ａによって冷気が後方に向けて流れるのを遮断することができ、冷気が前方（収納容器４０の手前側）に案内され易くなる。また、側部冷気案内部４５ｂを設けることによって、冷気が収納容器４０の前方（収納容器４０の手前側）に確実に案内される。収納容器４０の手前側に案内された冷気は、図２に示すように、収納容器４０と扉６との間を流れ、収納容器４０と断熱仕切り壁１１との間を前方から後方に向けて流れた後、収納容器４０の後方に設けられた戻り口３ａから冷却器室１５に戻る。
【００３５】
また、後部冷気案内部４５ａは吐出口１２ａより後側に位置し、かつ、冷蔵庫本体１の前後方向の中央より後側に位置することで、冷気が吐出口１２ａから戻り口３ａに戻るまでの移動距離を長くすることができるので、冷気の温度を上げることができ、収納容器４０の内壁面に露付きが発生するのを抑制することが可能になる。また、蓋板４３Ａの下面については、扉６に近い側で且つ冷却器１４から離れた場所に位置しているため、冷やされにくくなり、露付きの発生を抑えることができる。
【００３６】
また、後部冷気案内部４５ａより前側に蒸散ボード４４が設けられているので、吐出口１２ａから吐出された冷気は、蒸散ボード４４の表面（上面）をなめるように通流することになる。これにより、蒸散ボード４４に吸湿（吸蔵）された水分が水蒸気となって、通流する冷風（冷気）に放出されることになる。つまり、野菜室３内の水分Ｗが蒸散ボード４４で吸収され、吸収した水分が蒸散ボード４４を介して吐出口１２ａなどから野菜室３外へ放出される。このため、収納容器４０内の湿度が高くなり過ぎるのを抑制でき、収納容器４０の壁面に露付きが生じるのを抑制することができる。これにより、貯蔵物（葉物野菜など）に露が接触するのを抑制して、貯蔵物の長期保存が可能になる。
【００３７】
図５は、（ａ）は上段容器を示す正面図、（ｂ）は（ａ）のＢ−Ｂ線断面図である。
図５（ａ）に示すように、上段容器４２の前板４２ａには、合成樹脂製のハンドル４６が別部材で取り付けられている。このハンドル４６には、蓋板４３Ａ（図３参照）との間に隙間が形成されるように凹部４６ａが形成されている。これにより、扉６を引き出す際に、利用者が凹部４６ａに手を挿入してハンドル４６に手を掛けることで、上段容器４２を前後にスライドさせることができる。
【００３８】
図５（ｂ）に示すように、ハンドル４６は、不透明な樹脂によって形成され、縦断面視において、上下方向に延びる前板４６ｂと、前板４６ｂの後方において上下方向に延びる背板４６ｃと、前板４６ｂの上端と背板４６ｃの上端とをつなぐ上板４６ｄとで門型に構成されている。これにより、ハンドル４６は、凹面が下向きの形状となるように上段容器４２に取り付けられている。
【００３９】
上段容器４２の前板４２ａには、白金触媒を収容する触媒収容部４２ｅが前板４２ａと一体に樹脂成型されている。この触媒収容部４２ｅは、下部に位置する前板４２ａの前面よりも前方に突出している。また、触媒収容部４２ｅは、凹面が上向きとなる凹状部４２ｆを有している。凹状部４２ｆの底面には、上下方向に貫通する貫通孔４２ｇが形成されている。なお、貫通孔４２ｇは、１か所に限定されるものではなく、図５（ｂ）の紙面垂直方向に間隔を空けて複数個所に形成されている。
【００４０】
ハンドル４６は、凹状部４２ｆの前面に前板４６ｂが接し、凹状部４２ｆの後面に背板４６ｃが接し、凹状部４２ｆの上方に上板４６ｄが位置するように、触媒収容部４２ｅに取り付けられる。これにより、白金触媒６０は、貫通孔４２ｇを通して触媒収容部４２ｅの外部と連通する。このように、白金触媒６０の前後面および上面を覆うことにより、白金触媒６０に水などの付着を防止して、触媒機能が損なわれるのを防止できる。また、不透明なハンドル４６で触媒収容部４２ｅを覆うことで、外部から白金触媒６０が視認されるのを防止できる。また、ハンドル４６を上段容器４２に着脱自在に構成することで、白金触媒６０を交換することができる。
【００４１】
白金触媒６０は、光触媒と異なり、ＬＥＤなどの光が無くても、各空間内の空気に含まれるエチレンやトリメチルアミンを分解する触媒である。白金触媒６０によってエチレンが分解されることで、二酸化炭素および水蒸気が発生する。また、白金触媒６０はペレット状であり、袋６１（図５（ｂ）参照）に詰められた状態で触媒収容部４２ｅ内に収容されている。これにより、ペレット状の白金触媒６０は、上段容器４２が引き出しおよび収容される際に袋６１内で適度に混合される。そのため、ペレットに対して一方向からのみ空気が接触することが防止され、触媒機能が維持されるようになっている。なお、触媒収容部４２ｅに収容される触媒としては、白金触媒６０に限定されるものではなく、他の遷移金属触媒を用いてもよい。その遷移金属触媒としては、細孔を有するシリカ（メソポーラスシリカ）を用いることができ、この細孔の内部に白金やルテニウムなどの遷移金属の微粒子が担持されたものを適用できる。
【００４２】
下段容器４１内に置かれた野菜などから発生したエチレンガスは、貫通孔４２ｇを通って白金触媒６０と接触することで分解され、二酸化炭素が発生する。扉６が閉じられて野菜室３に収納容器４０が収納されている場合、下段容器４１および上段容器４２が蓋板４３によって略密閉状態である。また、下段容器４１と上段容器４２の境界に白金触媒６０が位置しているので、発生した二酸化炭素は、貫通孔４２ｇを通して下段容器４１内と上段容器４２内の双方に充満する。これにより、下段容器４１と上段容器４２の各空間に貯蔵された野菜の気孔が閉じられて野菜の呼吸が抑制され、呼吸による栄養成分の減少や乾燥が抑えられるので、野菜の鮮度が長時間維持される。なお、白金触媒６０の設置場所としては、ハンドル４６内部に限らず、下段容器４１と上段容器４２のそれぞれに触媒収納部を設け、この触媒収納部に白金触媒を収納するようにしてもよい。
【００４３】
また、野菜室３に貯蔵された野菜などの表面に存在する水に、二酸化炭素が溶解すると、野菜などの表面は酸性になる。しかし、水に溶解したときにアルカリ性を示すトリメチルアミンが発生すると、トリメチルアミンも野菜表面に存在する水に溶解するため、二酸化炭素の溶解により酸性化した野菜表面が中和されてしまう。しかし、冷蔵庫１００Ａでは、白金触媒６０によってトリメチルアミンが分解されることで、野菜室３に保存された野菜などの表面は酸性となり、野菜表面の微生物の増殖が抑制される。
【００４４】
また、冷蔵庫１００Ａ内に下段容器４１および上段容器４２が収容されているときは、蓋板４３が、下段容器４１の開口と上段容器４２の開口の全体を覆っているため、これらの空間の内部の気密性が高められている。従って、収納容器４０内のすべての空間、すなわち、下段容器４１だけでなく上段容器４２について、内部の二酸化炭素濃度を１０００ｐｐｍ以上に保つことができる。
【００４５】
本実施形態では、アルカリ性のガスであるトリメチルアミンが白金触媒６０によって短時間に分解されるため、二酸化炭素の溶解により酸性化した野菜の表面の中和を抑制し、表面の酸性度を高めることが可能となる。すなわち、野菜を収納容器４０に収納した場合に、従来ではその表面のｐＨが上昇するのに対して、本実施形態ではその表面のｐＨが減少する。その結果、野菜の表面に発生する酵素や微生物が抑制され、腐敗の進行が抑えられる。また、トリメチルアミンが分解されると二酸化炭素も発生するため、光触媒を用いた場合と比べて、二酸化炭素を増加させる効果も高い。実際に実験を行ったところ、白金触媒６０を用いた場合、光触媒を用いた場合の約２倍の二酸化炭素生成能力があることが判明した。このため、広い領域であっても、内部の二酸化炭素を増加させることが可能となっている。
【００４６】
（第２実施形態）
図６は、第２実施形態における冷蔵庫の縦断面図である。なお、第１実施形態と同様の構成については、同一の符号を付して重複した説明を省略する。また、図６は、図２と同様に概略的に図示している。
図６に示すように、冷蔵庫１００Ｂは、仕切り壁１２に蓋板４３Ｂを備えて構成されたものである。扉６が閉じられて収容容器４０が野菜室３に収納されている場合には、蓋板４３Ｂによって収納容器４０の上部開口が略密閉されている。なお、蓋板４３Ｂを仕切り壁１２に固定する方法は第１実施形態と同様に構成できる。
【００４７】
蓋板４３Ｂの上面には、仕切り壁１２の吐出口１２ａより後側に後部冷気案内部４５ａ（冷気案内部）が形成されている。また、蓋板４３Ｂの上面は、後部冷気案内部４５ａより前側に、後方から前方に向けて下る傾斜面４３ｓが形成されている。これにより、図６の実線矢印で示すように、吐出口１２ａから吐出された冷気が収納容器４０の手前側に案内される。なお、傾斜面４３ｓは、図６に示すように蓋板４３Ｂの一部である後部冷気案内部４５ａより前側に形成された場合を例に挙げて説明したが、このような構成に限定されず、蓋板４３Ｂの上面全体が、後方から前方に向けて下る傾斜面であってもよい。図６に示すように、後部冷気案内部４５ａの前方のみに傾斜面４３ｓを形成することで、蓋板４３Ｂの高さを低く抑えることができ、野菜室３内を有効（収納容器４０の拡大など）に活用することができる。
【００４８】
また、仕切り壁１２の吐出口１２ａには、冷気を収納容器４０の前方（収納容器４０の手前側）に向けて案内する仕切側冷気案内部１２ｃ（冷気案内部）が設けられている。この仕切側冷気案内部材１２ｃは、例えば吐出口１２ａの周縁部を半円状に囲む板形状であり、後方から前方に向けて下る傾斜面を有している。なお、仕切側冷気案内部１２ｃの形状は、冷気を収納容器４０の前方に向けて案内できるものであれば、特に限定されるものではなく、Ｌ字型、円筒状など各種の形状を適用することができる。
【００４９】
このように、第２実施形態では、蓋板４３Ｂの上面の一部（後部冷気案内部４５ａより前側）に後方から前方に向けて下る傾斜面４３ｓを形成したことにより、吐出口１２ａから吐出された冷気を収納容器４０の手前側に案内することが容易になり、第１実施形態と同様に、収納容器４０内に露付きが発生するのを抑制することができる。
【００５０】
また、第２実施形態では、仕切り壁１２に冷気を案内する仕切側冷気案内部１２ｃを設けることにより、吐出口１２ａから吐出された冷気を収納容器４０の手前側に向けて流すことがさらに容易になり、収納容器４０内における露付きを抑制することができる。
【００５１】
また、第２実施形態では、第１実施形態と同様に、後部冷気案内部４５ａより前側に、蒸散ボード４４（水分吸蔵放出部材）を取り付けてもよく、また側部冷気案内部４５ｂ，４５ｂを取り付けてもよく、適宜選択することができる。
【００５２】
（第３実施形態）
図７は、第３実施形態における冷蔵庫の一部を示す縦断面図である。第３実施形態の冷蔵庫１００Ｃは、第１実施形態の吐出口１２ａと後部冷気案内部４５ａの位置関係を変更したものである。
【００５３】
すなわち、冷蔵庫１００Ｃでは、蓋板４３Ｃに形成された後部冷気案内部４５ａは仕切り壁１２に形成された吐出口１２ａよりも後側に位置し、かつ、後部冷気案内部４５ａが蓋板４３Ｃの前後方向の中央よりも前側に位置している。このような構成であっても、吐出口１２ａから吐出された冷気が収納容器４０の手前側を通り易くなり、収容容器４０内の露付きを抑制することができる。
【００５４】
なお、第３実施形態についても、第１実施形態と同様に、側部冷気案内部４５ｂ（図３参照）を設けてもよく、また後部冷気案内部４５ａより前側に蒸散ボード４４（図３参照）を設けてもよい。また、第３実施形態については、第２実施形態と同様に、吐出口１２ａに仕切側冷気案内部１２ｃ（図６参照）を設けてもよく、また蓋板４３Ｃの上面において、後方から前方に向けて下る傾斜面４５ｓ（図６参照）を設けてもよい。
【００５５】
本発明は、前記した実施形態に限定されるものではなく、本発明の範囲を逸脱しない範囲において種々変更できる。例えば、前記した実施形態では、後部冷気案内部４５ａと側部冷気案内部４５ｂを弾力性を有する発泡ウレタンによって構成した場合を例に挙げて説明したが、これに限定されるものではなく、蓋板４３Ａと一体に成形されたリブによって冷気案内部を構成してもよい。また、リブと発泡ウレタンとを組み合わせて冷気案内部を構成するようにしてもよい。
【００５６】
また、前記した実施形態では、蓋板４３Ａに発泡ウレタンからなる後部冷気案内部４５ａおよび側部冷気案内部４５ｂを設けた場合（図３参照）を例に挙げて説明したが、仕切り壁１２の下面１２ｂに、発泡ウレタンからなる冷気案内部を設ける構成であってもよい。
【符号の説明】
【００５７】
１    冷蔵庫本体
２    冷蔵室（上部冷蔵温度帯室）
３    野菜室（下部冷蔵温度帯室）
３ａ  戻り口（排出口）
１２  仕切り壁（仕切部材）
１２ａ  吐出口
４０  収納容器
４１  下段容器
４２  上段容器
４３  蓋板（蓋体）
４４  蒸散ボード（水分吸蔵放出部材）
４５ａ  後部冷気案内部（冷気案内部）
４５ｂ  側部冷気案内部（他の冷気案内部）
６０  白金触媒
１００Ａ，１００Ｂ，１００Ｃ  冷蔵庫
【図１】
0006543131.tif 000002
【図２】
0006543131.tif 000003
【図３】
0006543131.tif 000004
【図４】
0006543131.tif 000005
【図５】
0006543131.tif 000006
【図６】
0006543131.tif 000007
【図７】
0006543131.tif 000008